(57)【特許請求の範囲】
【請求項１】
トリガー(９)を後方へ引くことによって吐出口から前方へ容器体内容物を吐出させるトリガー式吐出装置を容器体(１)の口部(２)へ装着すると共に、前記吐出装置の外殻(７)の後方に薬剤収納室(１０)を設けた吐出容器において、
前記薬剤収納室(１０)は、前記吐出装置の外殻(７)の後壁(１１)を前壁として、該前壁下端から後方へ延設された底壁の前記前壁下端を除いた周縁部分から周壁を起立した有底筒(１２)と、前記外殻(７)の後壁(１１)の上端にヒンジ(１４)を介して取り付けられた、前記有底筒の開閉蓋(１３)とから形成されていることを特徴とする吐出容器。
【請求項２】
トリガー(９)を後方へ引くことによって吐出口から前方へ容器体内容物を吐出させるトリガー式吐出装置を容器体(１)の口部(２)へ装着すると共に、前記吐出装置の外殻(７)の後方に薬剤収納室(３０)を設けた吐出容器において、
前記薬剤収納室(３０)は、前記吐出装置の外殻(７)の後壁(１１)を前壁として、該前壁上端から頂壁(２０)を、該前壁の左右両側から側壁(２１)をそれぞれ後方へ延設した有頂筒(２２)と、該有頂筒の下部内面へ下面閉塞の周壁(２４)外面を隙間なく密に嵌着させた収納筒(２５)とから形成されていることを特徴とする吐出容器。
【請求項３】
前記薬剤収納室(１０、３０)上面に、薬剤(１８)から揮散される気体を放出させる放出孔(２３、４０)が形成されていることを特徴とする請求項１又は２に記載の吐出容器。
【請求項４】
前記薬剤収納室(１０、３０)に収納される薬剤(１８、３１)は錠剤、粉末または吸収材に含浸させた液体からなることを特徴とする請求項１ないし３のいずれか１つに記載の吐出容器。
【請求項５】
前記薬剤(１８、３１)は容器体(１)内の液体に溶解可能な錠剤または粉末からなることを特徴とする請求項４記載の吐出容器。
【発明の詳細な説明】
【技術分野】
【０００１】
本発明はトリガー式液体噴出装置等の吐出装置を備えた吐出容器に関する。
【背景技術】
【０００２】
装着キャップにより容器体に固定したポンプ本体を被覆するカバーと、ポンプ本体の射出筒先端に連結した噴出口付き噴出ヘッドと、射出筒前部から揺動可能に垂設したトリガーとを備え、トリガー操作による内蔵ポンプ機構の作用で容器体内の液体を吸上げて噴出口より噴出可能に構成したトリガー式液体噴出容器が知られている(特許文献１参照)。
【特許文献１】特開平１２−７０７９５号公報
【発明の開示】
【発明が解決しようとする課題】
【０００３】
特許文献１のトリガー式液体噴出容器において、予め容器体に充填された液体をそのまま利用者が使用するのではなく、清掃箇所の環境等、具体的状況に応じた適宜の薬効成分を有する液体を使用したい場合がある。換言すれば、容器体内の水等の溶媒に適宜選択した洗浄剤等の固形薬剤を溶かすことでその場に応じた薬効を発揮する液体を使用したい場合や、或いは容器体内の液体（例えば洗浄液）に、利用者の好みにより補助の薬剤（例えば芳香剤）を加えて液質を変化させたりすることが要望される場合がある。また、トリガー式液体容器を使用しない保管時の状態においても、消臭・芳香容器として兼用させることで、収納庫や収納棚などの消臭などに利用したいという要望もある。
【０００４】
本発明の第１の目的は、容器体内の溶媒に固形薬剤を入れて薬効を生じさせたり、容器体内の液体に補助の薬剤を添加して液質を変化させるという用途に用いるために、上記薬剤を収納する薬剤収納室を吐出装置の適所に設けた吐出容器を提供することである。
このようにすることで、吐出容器を使用する場合に、清掃箇所の環境等に応じた薬効を発揮する液体を吐出させることができる。
本発明の第２の目的は、芳香剤や消臭剤を収納し、かつその薬効成分を揮散可能な薬剤収納室を吐出装置の適所に設けた吐出容器を提供することである。
特に好適な一例として、吐出のための操作をしない保管時の状態においても、芳香、消臭等の薬効が発揮される。
本発明の第３の目的は、第１および第２の目的を有する吐出容器を提供することにある。
【課題を解決するための手段】
【０００５】
第１の手段として、トリガー９を後方へ引くことによって吐出口から前方へ容器体内容物を吐出させるトリガー式吐出装置を容器体１の口部２へ装着すると共に、前記吐出装置の外殻７の後方に薬剤収納室１０を設けた吐出容器において、
前記薬剤収納室１０は、前記吐出装置の外殻７の後壁１１を前壁として、該前壁下端から後方へ延設された底壁の前記前壁下端を除いた周縁部分から周壁を起立した有底筒１２と、前記外殻７の後壁１１の上端にヒンジ１４を介して取り付けられた、前記有底筒の開閉蓋１３とから形成されていることを特徴とする。
【０００６】
第２の手段として、トリガー９を後方へ引くことによって吐出口から前方へ容器体内容物を吐出させるトリガー式吐出装置を容器体１の口部２へ装着すると共に、前記吐出装置の外殻７の後方に薬剤収納室３０を設けた吐出容器において、
前記薬剤収納室３０は、前記吐出装置の外殻７の後壁１１を前壁として、該前壁上端から頂壁２０を、該前壁の左右両側から側壁２１をそれぞれ後方へ延設した有頂筒２２と、該有頂筒の下部内面へ下面閉塞の周壁２４外面を隙間なく密に嵌着させた収納筒２５とから形成されていることを特徴とする。
【０００７】
第３の手段として、前記薬剤収納室１０、３０上面に、薬剤１８から揮散される気体を放出させる放出孔２３、４０が形成されていることを特徴とする。
【０００８】
第４の手段として、前記薬剤収納室１０、３０に収納される薬剤１８、３１は錠剤、粉末または吸収材に含浸させた液体からなることを特徴とする。
【０００９】
第５の手段として、前記薬剤１８、３１は容器体１内の液体に溶解可能な錠剤または粉末からなることを特徴とする。
【発明の効果】
【００１２】
本発明は、吐出装置の外殻外面に薬剤収納室を設けたので、薬剤収納室内に芳香剤、消臭剤、殺虫剤等を収納することができ、したがって、芳香剤等を容器体内に投入することで清掃箇所の環境等に応じた薬効成分を有する液体を吐出することができると共に、薬剤収納室に揮散用の放出孔を設けることにより、吐出装置を使用しない保管時の状態においても芳香、消臭等の効果が得られる。
【発明を実施するための最良の形態】
【００１３】
以下、図面を参照しながら本発明を説明する。
まず、本発明が適用されるトリガー式液体吐出容器について簡単に説明する。図１において、１は容器体で、容器体１の口頸部２に嵌合させる装着キャップ３上端から起立した縦筒からシリンダ４および射出筒５をそれぞれ前方へ突出して形成されるポンプ本体６の上面、左右両側面および後面を外殻７で被覆し、射出筒５先端に吐出口付きの吐出ヘッド８を連結すると共に、射出筒５から揺動可能にトリガー９を垂設し、トリガー操作によるポンピングで容器体内の液体が吸い上げられ吐出口から吐出されるようになっている。
【００１４】
１０は薬剤収納室で、外殻７の後面を形成する後壁１１を前壁として共用する有底筒１２を備えており、有底筒１２の上面は開閉蓋１３によって開閉可能に形成されている。開閉蓋１３の基端部は薄肉ヒンジ１４を介して外殻７の後壁１１上端に回動自在に取り付けられている。
【００１５】
開閉蓋１３の形状には特に限定はないが、例えば、外殻７の上壁後端を薄肉ヒンジ１４を介して後方へ延出させ、かつその先端部を斜め下後方へ弯曲させることにより蓋頂壁１４ａを形成すると共に、外殻７の左右両側面の後方への延長面上に蓋頂壁１４ａの左右両側面を覆う側壁１５を形成するのが好ましい。
【００１６】
開閉蓋１３の先端部における左右方向中間部からは把手１６が後方へ突設されていると共に、開閉蓋１３の先端部における左右方向中間部内面からは有底筒１２の上端部に係合可能な係合爪１７が垂下されている。
【００１７】
薬剤収納室１０には、芳香剤、消臭剤、殺虫剤等の薬剤１８が収納される。これらは図示のように錠剤でもよく、あるいは粉末でもよい。また、後述のように芳香剤等を容器体１内の水に溶解させて使用する場合には、水溶性の錠剤等を用いる。
【００１８】
上記構成に係る吐出容器を使用するには、容器体１の口頸部から装着キャップ３を取り外すと共に、把手１６をもち開閉蓋１３を開くことで薬剤収納室１０から水溶性の芳香剤等を取り出し、これを容器体内に入れる。次いで、装着キャップ３を容器体１に装着した後、トリガー９を後方へ引けば、吐出口から芳香性等を有する液体が前方へ吐出される。
【００１９】
図２は他の実施形態を示すもので、外殻７の上壁後端を後方へ延出させ、かつその先端部を斜め下後方へ弯曲させることにより頂壁２０を形成すると共に、外殻７の左右両側面の後方への延長面上に頂壁２０の左右両側面を覆う側壁２１を形成して、外殻７の後壁１１を前壁として共用する有頂筒２２を形成する。頂壁２０には左右方向へ伸びる複数の放出孔２３を形成する。
【００２０】
有頂筒２２下部内へ下面閉塞の周壁２４を備えた収納筒２５を離脱可能に嵌合させる。周壁２４外面には周方向に間隔をおいて複数の突条２６が形成されており、突条２６は有頂筒２２の下部内面に形成された凹部２７に嵌合可能に形成されている。また、突条２６より下方の周壁２４部分にフランジ２８を形成して、該フランジ前部を切除することによりフランジ状把持部２９に形成する。
【００２１】
有頂筒２２と収納筒２５とは薬剤収納室３０を形成する。この薬剤収納室３０内には芳香剤、消臭剤、殺虫剤等の薬剤３１が収納される。これらは図示のように錠剤でもよく、あるいは粉末でもよいこと上記同様であるが、ここでは揮散可能な錠剤等を用いる。
【００２２】
薬剤収納室３０内に揮散可能な錠剤等を収納しておくと、揮散した気体が放出孔２３から外部へ放出される。薬剤収納室３０内の芳香剤等を交換、補充するには、把持部２９をもって収納筒２５を下方へ引けばよく、すると突条２６が凹部２７から離脱するため、収納筒２５を有頂筒２２から取り外すことができる。
【００２３】
また、薬剤収納室３０の錠剤等を容器体内に投入することで、所望の薬効を発揮する液体を吐出させることが可能である。その他の構成は第１の実施形態と同様であるから説明を省略する。
【００２４】
上記では収納筒２５内に揮散可能な錠剤あるいは粉末を収納しているが、これに限定されることなく、例えば、図３に示すように、吸収材としての不織布３５を収納して、これに芳香性、消臭性、殺虫性等を有する揮散性の液剤を含浸させるようにしてもよい。液剤を補充するには、ノズル３６を放出孔２３から薬剤収納室３０内に挿入して、液剤を不織布３５上に滴下すればよい。
【００２５】
なお、揮散可能な錠剤等を使用する場合には、図１と同様の構成からなる薬剤収納室１０の開閉蓋１３に、図４に示すように、放出孔４０を形成して、該放出孔４０から錠剤等から揮散される気体を放出させるようにしてもよい。
【図面の簡単な説明】
【００２６】
【図１】本発明に係る吐出容器におけるポンプ本体を容器体から取り外した状態を示す一部断面図である。
【図２】ア  吐出容器の平面図である。            イ  吐出容器の一部断面側面図である。            ウ  吐出容器の側面図である。
【図３】図２に示す吐出容器の薬剤収納室において不織布含浸の薬剤を収納した状態を示す要部断面図である。
【図４】図１に示す吐出容器の変形例を示す要部断面図である。
【符号の説明】
【００２７】
１  容器体
２  口部
７  外殻
９  トリガー
１０、３０  薬剤収納室
１２  有底筒
１３  開閉蓋
１４  ヒンジ
１８、３１  薬剤
２２  有頂筒
２４  周壁
【図１】
0004974167.tif 000002
【図２】
0004974167.tif 000003
【図３】
0004974167.tif 000004
【図４】
0004974167.tif 000005